(57)【要約】　　　（修正有）【課題】従来のガーゼマスク、また不織布等で成型されたマスクは快適性、フィット性に劣り、ファション的に欠けていた。これらの問題を解決し花粉症や風邪、また鼻炎予防に効果のあるマスクが必要とされている。【解決手段】マスク本体７の周囲に伸縮性のあるレースないしテープを用いてギャザーの部分３を入れることで、マスク本体７を立体化し、そのうえ周囲を伸縮させることで、フィット性があり、かつ快適なマスクを、簡便に可能にした。かつ皮膚に接する部分にニット生地を用いることで、シカシカ感を軽減し、肌触りをも良くし、そのニット生地自体に抗菌、防臭の機能をもたせることと、マスク裏面２に、花粉や細菌を防ぐ使い捨てのフィルターを保持する構造をポケット８として持たせたことで、マスクとしての機能を高める。【選択図】図１
0003098246.tif 000002
【実用新案登録請求の範囲】
【請求項１】
平らな布地の周囲に伸縮性のあるレースないしテープを用いてギャザーを入れて立体化し、口に当たる所を膨らませ、さらに周囲が伸縮する、口、鼻を被うマスク本体を持ち、その伸縮性のあるレースないしテープを耳に掛ける紐にも使用しているマスク。
【請求項２】
マスク本体に用いるニットの布地に、機能性を高めるため、抗菌、防臭の効能を持たせた、前請求項目１のマスク。
【請求項３】
マスク本体の裏面にフィルターが入れられるポケットのある構造にしている前請求項目１のマスク。
【考案の詳細な説明】
【０００１】
【考案が属する技術分野】
本考案は使い捨てでなく、洗濯して何度も使えるマスクの形状に係わるものである
【０００２】
【従来の技術】
花粉症や風邪、また鼻炎予防に売られているマスクで、立体化されたマスクは、平面的なマスクに比べ息苦しくなく、会話が楽とか、口紅が付きにくい等の利点があり、近年増えてきている。しかし従来のガーゼや織物で作られたマスクで立体化させたものは、プリーツ、ないし椀状の保形具を用いたものであり、使い捨ての不織布等で立体化したものは、プリーツや成型の手法によるのもであり、マスクをする各人の顔の形はまちまちで、マスクの周囲が顔にフィットしにくく、隙間ができてしまう欠点があった。マスク本体の周囲が伸縮し、顔にフィットし、隙間を作らないものはなかった。またこれらの立体化させたマスクで、花粉や細菌を防ぐ、使い捨てのフィルターを容易に保持する構造のものは従来なかった。他に立体裁断により立体化させたものがあるが、マスク表面を１枚の布地で立体化したものではなく、１枚の布地で立体化した場合は、切り込みを入れてダーツを取る方法でしかなく、またこれらもマスク本体の周囲が伸縮するものはなかった。
【０００３】
【特許文献１】
特開２００３−７４１号公報
【０００４】
【特許文献２】
実用新案登録番号　第２５３６７７２号公報
【０００５】
【非特許文献１】
インターネットのホームページ
ｈｔｔｐ：／／ｗｗｗ．ｆａｓｈｉｏｎ−ｒｅｓｃｕｅ．ｃｏｍ／ａｎｅｗｍａｓｋ．ｈｔｍ
【０００６】
【考案が解決しようとする課題】
従来のガーゼマスクまた不織布等で成型されたマスクはいずれもマスク本体の周囲が伸縮するものでなく、フィット性に劣るものであった。また不織布等で成型されたマスクは皮膚に接する所の肌触りが良くなく、シカシカ感がする。ガーゼマスクも織物であるため同様にシカシカ感がする。
また平らな布地でマスクを立体化させ、かつ、花粉や細菌を防ぐ、使い捨てで取り替えのできるフィルターを容易に保持する構造のものは従来なかった。
【０００７】
【課題を解決するための手段】
平らな布地を口、鼻を被う部分であるマスク本体に用い、その周囲に伸縮性のあるレースないしテープを用いてギャザーを入れることで、マスク本体を立体化し、口に当たる所を膨らませ、そのうえ周囲を伸縮させることで、従来の成型品や、プリーツ等で解決できなかったフィット性を、簡便に可能にした。また耳に掛ける紐の部分もその伸縮性のあるレースないしテープを使用することで、従来にないオシャレなマスクを提供する。
花粉や細菌を防ぐ使い捨てのフィルターを容易に保持する構造を裏面にポケットとして持たせ、フィルターを取り替えることで、花粉や細菌を防ぐ効果を維持しつつ、マスクは何度も洗濯し常に清潔さを保ち、使い捨てでないため環境にも配慮されている。そのうえ皮膚に接する部分にニットの布地を使用したことで、シカシカ感を軽減し、肌触りをも良くし、そのニットの布地自体に抗菌、防臭の機能をもたせることで、よりマスクとしての機能を持たせる。
【０００８】
【考案の実施の形態】
考案の実施の形態については図面を参照して説明する。
【０００９】
【実施例】
図面を参照して実施例を説明する。マスクはマスク本体７と耳に掛ける紐４から成る。図１は本考案に係わるギャザーを用いたマスクの斜視図である。マスク本体７は平らな布地を複数重ねたもので本実施例はマスク表面１側の材料はプリントの布地を用い、マスク裏面２側にはニットの布地を用ている。これらの布地を重ねたものの周囲に伸縮性のあるレースを用いギャザーの部分３にした状態を裏面から見たものが図１である。耳に掛ける紐４にも伸縮性のあるレースが用いられ、ギャザーの部分３に用いた伸縮性のあるレースと同一材料である。
図２は正面から見た図である。図３は平面図であり、マスク本体７の膨らみが分かる図である。
マスク裏面２にポケット８を設け、左右２箇所にフィルター６を入れるポケットの口５がある。フィルター６は柔らかく、使い捨てで取り替えのできる花粉や細菌を防ぎ、マスク本体７の裏面に入れられる大きさにカットされている。図４は本実施例に用いるフィルターの図である。マスク裏面２は機能性を高めるため抗菌、防臭の効果のあるニットの布地が用いられている。
マスク表面１の材料に関して本実施例はプリントの織物を用いているが、プリントでなく無地の織物、先染柄の織物や、プリントの編物、無地の編物、先染柄の編物、またレースを用いても良い。
また本実施例においては、ギャザーの部分３と、耳に掛ける紐４にも伸縮性のあるレース用いられているが、３と４共に伸縮性のあるレースを用いることなく、伸縮性のあるテープを用いてもよく、またギャザーの部分３に伸縮性のあるレースを、耳に掛ける紐４に伸縮性のあるテープを用いてもよく、またその逆の、ギャザーの部分３に伸縮性のあるテープを、耳に掛ける紐４に伸縮性のあるレースを用いてもよい。
【００１０】
【考案の効果】
以上説明したように、平らな布地を口、鼻を被う部分であるマスク本体に用い、その周囲に伸縮性のあるレースないしテープを用いてギャザーを入れることで、マスク本体を立体化し、口に当たる所を膨らませ、そのうえ周囲に伸縮性を持たせることで、従来の成型品や、プリーツ等で解決できなかったフィット性のあるマスクを、簡便に可能にした。また耳に掛ける部分も同様の伸縮性のあるレースないしテープを使用することで、従来にないオシャレなマスクを提供する。花粉や細菌を防ぐ使い捨てのフィルターを容易に保持する構造を裏面にポケットとして持たせ、フィルターを取り替えることで、花粉や細菌を防ぐ効果を維持しつつ、マスクは何度も洗濯し常に清潔さを保ち、使い捨てでないため環境にも配慮されている。そのうえ皮膚に接する部分にニットの布地を使用したことで、シカシカ感を軽減し、肌触りをも良くし、そのニットの布地自体に抗菌、防臭の機能をもたせることで、よりマスクとしての機能を持たせる。
【図面の簡単な説明】
【図１】この考案に係わるマスクの実施例の斜視図で裏面から見ての図
【図２】正面図
【図３】ギャザーによるマスク本体が膨らみがわかる平面図
【図４】図１に示したマスク裏面のポケットに挿入されるフィルターの説明図
【符号の説明】
１　マスク表面
２　マスク裏面
３　ギャザーの部分
４　耳に掛ける紐
５　ポケットの口
６　フィルター
７　マスク本体
８　ポケット
【図１】
0003098246.tif 000003
【図２】
0003098246.tif 000004
【図３】
0003098246.tif 000005
【図４】
0003098246.tif 000006